(57)【要約】【課題】  磁気テープに記録された記録情報をＤＶＤにダビングする際に、ダビング開始直後であっても適切な画像情報の記録が可能な情報記録装置を提供する。【解決手段】  トラッキング補正が終了しているかどうかが判定される（ステップＳ２）。ステップＳ２において、トラッキング補正が終了していないと判定された場合には、まず、ダビングの準備動作として磁気テープを所定期間再生する（ＶＣＲ再生）（ステップＳ３）。そして、この所定期間のＶＣＲ再生中にトラッキング補正部によりトラッキング補正を実行する（ステップＳ４）。そして、磁気テープを最初の位置に巻き戻す（ＶＣＲ巻き戻し）（ステップＳ５）。これにより、ダビングの準備動作が完了する（ステップＳ６）。そして、ＶＣＲ部において、磁気テープを再生する（ダビング再生）（ステップＳ７）。【選択図】        図３
2006323940.tif 000002
【特許請求の範囲】
【請求項１】
磁気テープに対してアナログ再生信号を再生する磁気テープ再生部と、
前記磁気テープ再生部からの前記アナログ再生信号を受けて、記録媒体に対してデジタル記録する記録部とを備え、
前記磁気テープ再生部は、前記磁気テープの再生時にトラッキングを調整するトラッキング補正部を含み、
前記磁気テープに記録されている記録情報を前記記録媒体にダビングする場合に、前記磁気テープ再生部は、前記トラッキング補正部によるトラッキングの調整後にダビング再生を開始し、前記記録部は、前記トラッキングの調整後に前記ダビング再生に従う前記磁気テープに記録されている前記記録情報を前記記録媒体に対して記録し、
前記磁気テープ再生部は、前記トラッキング補正部における前記トラッキング調整後に前記磁気テープを最初の再生位置に戻すための巻戻し手段をさらに含み、
前記磁気テープに記録されている記録情報を前記記録媒体にダビングする場合に、前記トラッキング再生部は、前記トラッキング補正部によるトラッキングの調整が終わっている場合には、トラッキングの調整を実行せずに前記ダビング再生を開始する、情報記録装置。
【請求項２】
磁気テープに対してアナログ再生信号を再生する磁気テープ再生部と、
前記磁気テープ再生部からの前記アナログ再生信号を受けて、記録媒体に対してデジタル記録する記録部とを備え、
前記磁気テープ再生部は、前記磁気テープの再生時にトラッキングを調整するトラッキング補正部を含み、
前記磁気テープに記録されている記録情報を前記記録媒体にダビングする場合に、前記磁気テープ再生部は、前記トラッキング補正部によるトラッキングの調整後にダビング再生を開始し、前記記録部は、前記トラッキングの調整後に前記ダビング再生に従う前記磁気テープに記録されている前記記録情報を前記記録媒体に対して記録する、情報記録装置。
【請求項３】
前記磁気テープ再生部は、前記トラッキング補正部における前記トラッキング調整後に前記磁気テープを最初の再生位置に戻すための巻戻し手段をさらに含む、請求項２記載の情報記録装置。
【請求項４】
前記磁気テープに記録されている記録情報を前記記録媒体にダビングする場合に、前記トラッキング再生部は、前記トラッキング補正部によるトラッキングの調整が終わっている場合には、トラッキングの調整を実行せずに前記ダビング再生を開始する、請求項２記載の情報記録装置。
【発明の詳細な説明】
【技術分野】
【０００１】
本発明は、情報記録装置に関し、特に、磁気テープ等のアナログ記録媒体からＤＶＤ（Digital Versatile Disc）等のデジタル記録媒体に対してダビングが実行可能な情報記録装置に関する。
【背景技術】
【０００２】
近年の圧縮符号化技術の発達に伴い、映画などの映像音声情報を記録するのに、従来から知られているアナログ的に情報が記録される磁気テープ（ビデオテープ）からデジタル的に情報が記録されるＤＶＤ等への記録が普及してきている。
【０００３】
したがって、従来用いられていた磁気テープの再生／記録が可能なＶＣＲ（Video Cassette Recorder）の機能とともに、ＤＶＤ等の再生／記録も可能な複合機能を有する情報記録装置が提案されている。
【０００４】
この種の情報記録装置では、一体型として設けられているためダビング機能が通常付加されており、ユーザが所定の操作を実行することにより一例として磁気テープに記録された情報をＤＶＤに対してダビングすることが可能な構成となっているのが一般的である。
【０００５】
特許文献１〜３には、一例として簡易な操作でたとえば磁気テープからＤＶＤへのダビングが可能な構成が開示されている。
【特許文献１】特開２００４−２２１８８４号公報
【特許文献２】特開２００４−２２０６４８号公報
【特許文献３】実用新案登録第３０９２１４１号公報
【発明の開示】
【発明が解決しようとする課題】
【０００６】
しかしながら、通常ＶＣＲでは、磁気テープ挿入後、最初の再生動作時にトラッキング動作を実行し、最適なトラッキング位置に固定させる。そのためトラッキング動作中には、映像の乱れが生じることになる。
【０００７】
したがって、磁気テープ挿入後、最初の再生動作前にダビング動作をすぐに実行した場合には、ダビング再生の際に初めてトラッキング動作が実行されるためたとえばＤＶＤにダビングされる際にはトラッキング動作中の乱れた映像すなわち画像情報が記録されることになる。すなわち、従来の構成においては、ダビング開始直後は、適切な画像情報の記録が実行できない可能性があった。
【０００８】
本発明は、上記のような問題を解決するためになされたものであって、磁気テープに記録された記録情報をＤＶＤにダビングする際に、ダビング開始直後であっても適切な画像情報の記録が可能な情報記録装置を提供することを目的とする。
【課題を解決するための手段】
【０００９】
本発明に係る情報記録装置は、磁気テープに対してアナログ再生信号を再生する磁気テープ再生部と、磁気テープ再生部からのアナログ再生信号を受けて、記録媒体に対してデジタル記録する記録部とを備える。磁気テープ再生部は、磁気テープの再生時にトラッキングを調整するトラッキング補正部を含む。磁気テープに記録されている記録情報を記録媒体にダビングする場合に、磁気テープ再生部は、トラッキング補正部によるトラッキングの調整後にダビング再生を開始し、記録部は、トラッキングの調整後にダビング再生に従う磁気テープに記録されている記録情報を記録媒体に対して記録する。磁気テープ再生部は、トラッキング補正部におけるトラッキング調整後に磁気テープを最初の再生位置に戻すための巻戻し手段をさらに含む。磁気テープに記録されている記録情報を記録媒体にダビングする場合に、トラッキング再生部は、トラッキング補正部によるトラッキングの調整が終わっている場合には、トラッキングの調整を実行せずにダビング再生を開始する。
【００１０】
本発明に係る別の情報記録装置は、磁気テープに対してアナログ再生信号を再生する磁気テープ再生部と、磁気テープ再生部からのアナログ再生信号を受けて、記録媒体に対してデジタル記録する記録部とを備える。磁気テープ再生部は、磁気テープの再生時にトラッキングを調整するトラッキング補正部を含む。磁気テープに記録されている記録情報を記録媒体にダビングする場合に、磁気テープ再生部は、トラッキング補正部によるトラッキングの調整後にダビング再生を開始し、記録部は、トラッキングの調整後にダビング再生に従う磁気テープに記録されている記録情報を記録媒体に対して記録する。
【００１１】
好ましくは、磁気テープ再生部は、トラッキング補正部におけるトラッキング調整後に磁気テープを最初の再生位置に戻すための巻戻し手段をさらに含む。
【００１２】
好ましくは、磁気テープに記録されている記録情報を記録媒体にダビングする場合に、トラッキング再生部は、トラッキング補正部によるトラッキングの調整が終わっている場合には、トラッキングの調整を実行せずにダビング再生を開始する。
【発明の効果】
【００１３】
本発明に係る情報記録装置は、磁気テープに記録されている記録情報を記録媒体にダビングする場合に、トラッキングの調整後にダビング再生が開始される。したがって、磁気テープに記録された記録情報を記録媒体にダビングする際に、ダビング開始直後であっても適切な画像情報の記録が可能である。
【発明を実施するための最良の形態】
【００１４】
以下、本発明の実施の形態について図面を参照しながら詳細に説明する。なお、図中同一または相当部分には同一符号を付し、その説明は繰返さない。
【００１５】
図１は、本発明の実施の形態に従う情報記録装置１の概略ブロック図である。
図１を参照して、本発明の実施の形態に従う情報記録装置１は、情報記録装置１全体を制御する制御部５と、磁気テープ（ビデオテープ）に対して情報の再生／記録が可能なＶＣＲ部１０と、ＤＶＤに対して情報の再生／記録が可能なＤＶＤ部１５と、ハードディスクに対して情報の再生／記録が可能なＨＤＤ部２０とを備える。
【００１６】
ＶＣＲ部１０、ＤＶＤ部１５およびＨＤＤ部２０は、制御部５の指示に基づいて互いに情報が転送されてそれぞれダビングが可能な構成となっているものとする。
【００１７】
たとえば、磁気テープからＤＶＤへのダビングの場合には、制御部５の指示に基づいて、ＶＣＲ部１０において、磁気テープの再生動作が実行される。そして、再生信号がＤＶＤ部１５に転送されて、ＤＶＤ部１５において所定の変換処理が実行されてＤＶＤに対して磁気テープに記録されていた記録情報が記録される。すなわち、ＶＣＲ部１０は再生動作を実行し、ＤＶＤ部１５は、ＶＣＲ部１０の再生動作に伴う再生信号に基づいて記録動作を実行する。ＶＣＲ部１０、ＤＶＤ部１５およびＨＤＤ部２０の対応する記録媒体に対する再生動作あるいは記録動作については一般的な技術であるためその詳細な説明は省略する。
【００１８】
図２は、本発明の実施の形態に従うＶＣＲ部１０の概略ブロック図である。
図２を参照して、本発明の実施の形態に従うＶＣＲ部１０は、ＶＣＲ部１０を制御するＶＣＲ制御ユニット５０と、磁気テープの再生動作あるいは記録動作を実行するためのドライブ部５１と、ダビング時にＤＶＤ部１５あるいはＨＤＤ部２０と情報の授受を実行するための転送制御部５２とを含む。
【００１９】
ＶＣＲ制御ユニット５０は、制御部５からの指示を受けてＶＣＲ部１０の内部回路を制御する指示信号等を出力し、内部回路の状態を管理する。
【００２０】
ドライブ部５１は、磁気テープの再生動作あるいは記録動作等を実行する。また、ドライブ部５１は、トラッキング補正部５３を含む。トラッキング補正部５３は、磁気テープの再生動作が実行された際に磁気ヘッドが磁気テープの記録トラックの正しい位置を確実になぞれるように、ヘッドの位置とテープの送りを正確に制御するための調整機構（図示せず）を制御する（トラッキング補正）。これにより、磁気テープの個体差に伴う再生画像の乱れを補償することが可能となる。また、ドライブ部５１には、磁気テープを巻き戻しあるいは早送りするための機構が設けられているものとする。なお、これらの技術は、一般的な技術であるためその詳細な説明は省略する。
【００２１】
通常、トラッキング補正部５３は、磁気テープが図示しない挿入口から初めて挿入されドライブ部５１で磁気テープの再生動作が初めて実行された場合にトラッキング補正を実行して、その調整値を保持する。したがって、当該磁気テープが挿入口から取り出されるまでは同じ調整値を維持する。
【００２２】
転送制御部５２は、ＶＣＲ制御ユニット５０の指示に基づいてＤＶＤ部１５あるいはＨＤＤ部２０に対してドライブ部５１での再生動作に伴う再生信号を伝達する。あるいは、ＶＣＲ制御ユニット５０の指示に基づいてＤＶＤ部１５あるいはＨＤＤ部２０から伝達された再生信号をドライブ部５１に伝達する。なお、ＤＶＤ部１５あるいはＨＤＤ部２０においても図示しないが同様の機能を有する転送制御部が設けられているものとする。これにより、ＶＣＲ部１０、ＤＶＤ部１５およびＨＤＤ部２０は、制御部５の指示に基づいて互いに情報が転送されてそれぞれダビングが可能な構成となっている。
【００２３】
一方、上述したようにドライブ部５１で磁気テープの再生動作を実行していない場合には、トラッキング補正が実行されていないためすぐにダビングを開始した場合には、トラッキング補正が実行完了するまでの間再生画像が乱れる可能性がある。
【００２４】
図３は、本発明の実施の形態に従う磁気テープから他の記録媒体へのダビングの際のＶＣＲ部１０の動作を説明するフローチャート図である。
【００２５】
図３を参照して、本発明の実施の形態に従う磁気テープから他の記録媒体へのダビング方式について、まず、ユーザからの磁気テープから他の記録媒体へのダビングを指示する所定のコマンドが情報記録装置１に入力されるものとする（スタート）（ステップＳ０）。そして、ダビングが開始される（ステップＳ１）。具体的には、制御部５は、所定のコマンドを受信して、ＶＣＲ部１０およびＤＶＤ部１５あるいはＨＤＤ部２０に対してダビングを実行するように指示する。
【００２６】
次に、ＶＣＲ部１０において、トラッキング補正部５３により既にトラッキング補正が終了しているかどうかが判定される。ステップＳ２において、トラッキング補正が終了していないと判定された場合には、まず、ダビングの準備動作として磁気テープを所定期間再生する（ＶＣＲ再生）（ステップＳ３）。そして、この所定期間のＶＣＲ再生中にトラッキング補正部５３によりトラッキング補正を実行する（ステップＳ４）。そして、磁気テープを最初の位置に巻き戻す（ＶＣＲ巻き戻し）（ステップＳ５）。これにより、ダビングの準備動作が完了する（ダビング開始準備完了）（ステップＳ６）。
【００２７】
そして、ＶＣＲ部１０において、磁気テープが再生される（ダビング再生）（ステップＳ７）。
【００２８】
そして、再生信号が転送制御部５２に伝達され、転送制御部５２からＤＶＤ部１５あるいはＨＤＤ部２０の同じ機能を有する転送制御部に伝達される。そして、ＤＶＤ部１５あるいはＨＤＤ部２０において、対応する記録媒体に対して転送された再生信号が所定の方式に従って記録される。
【００２９】
一方、ステップＳ２において、トラッキング補正が終了している場合には、上述したようにトラッキング補正をする必要が無いのでダビング開始準備完了としてステップＳ６に進む。なお、トラッキング補正が終了しているかどうかの判定は、トラッキング補正部５３が動作すれば動作したことを示すフラグを立てることにより判断が可能である。具体的には、一例として、トラッキング補正部５３が動作した場合には、図示しない予め設けられたメモリ等の記憶領域を用いてフラグを示す情報を格納することにより、ＶＣＲ制御ユニット５０がフラグを示す情報が格納されているかどうかを判定することにより実現可能である。なお、上述した挿入口（図示せず）から磁気テープが取り出されればそのフラグをもとに戻す動作をさせればよい。
【００３０】
本方式により、磁気テープが挿入されて再生動作を１回も実行していない場合に、ダビングを開始した場合においても、画像が乱れることなく、トラッキング補正された適切な画像情報を他の記録媒体に記録することが可能となる。
【００３１】
すなわち、たとえば、磁気テープに記録された記録情報をＤＶＤにダビングする際に、ダビング開始直後であっても適切な画像情報の記録が可能である。
【００３２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３３】
【図１】本発明の実施の形態に従う情報記録装置１の概略ブロック図である。
【図２】本発明の実施の形態に従うＶＣＲ部１０の概略ブロック図である。
【図３】本発明の実施の形態に従う磁気テープから他の記録媒体へのダビングの際のＶＣＲ部１０の動作を説明するフローチャート図である。
【符号の説明】
【００３４】
１  情報記録装置、５  制御部、１０  ＶＣＲ部、１５  ＤＶＤ部、２０  ＨＤＤ部、５０  ＶＣＲ制御ユニット、５１  ドライブ部、５２  転送制御部、５３  トラッキング補正部。
【図１】
2006323940.tif 000003
【図２】
2006323940.tif 000004
【図３】
2006323940.tif 000005